(57)【要約】【課題】画像形成装置自体を運転することなく短時間で調整を終えることができ、多様な振動周波数に対応して光学部材の振動を防止し、高品質の画像を得ることが可能な光走査装置の調整方法を提供する。【解決手段】光走査装置１の調整方法は、光学部材である反射ミラー２２の支持部３０が、支持部材３１と、支持部材３１に反射ミラー２２を押し当てて保持する板ばね３２とを備え、ハウジング２に配置した少なくとも１個の加振装置４０で発生させた振動を、反射ミラー２２の箇所に配置した振動測定装置４１で測定し、この振動条件に基づいて、反射ミラー２２に対する、支持部３０の支持条件を変更する。これにより、光走査装置１を画像形成装置に搭載して運転することなく、反射ミラー２２に伝播する振動を発生させ、反射ミラー２２と支持部３０とからなる振動系の固有振動数を認識し、共振を回避できる。【選択図】図４
2009134123.tif 000002
【特許請求の範囲】
【請求項１】
光ビームを照射する光源と、この光源からの光ビームを主走査方向に偏向する光偏向器と、この光偏向器からの光ビームを被走査面上に導く光学部材と、光ビームを被走査面上に照射するこれらの光学機器が内部に設けられたハウジングとを備えた光走査装置の調整方法において、
前記光学部材を支持する支持部が、支持部材と、この支持部材に光学部材を押し当てて保持する弾性部材とを備えるとともに、前記ハウジングに配置した少なくとも１個の加振装置で発生させた振動を、光学部材の箇所に配置した振動測定装置で測定し、この振動条件に基づいて、光学部材に対する、前記支持部の支持条件を変更することを特徴とする光走査装置の調整方法。
【請求項２】
前記加振装置を、前記光偏向器の箇所に配置することを特徴とする請求項１に記載の光走査装置の調整方法。
【請求項３】
前記加振装置を、前記ハウジングに設けられた、ハウジング自体の取り付け部の箇所に配置することを特徴とする請求項１に記載の光走査装置の調整方法。
【請求項４】
前記支持部の支持条件が、前記光学部材を支持する位置であることを特徴とする請求項１〜請求項３のいずれか１項に記載の光走査装置の調整方法。
【請求項５】
前記支持部の支持条件が、前記弾性部材の弾発力であることを特徴とする請求項１〜請求項３のいずれか１項に記載の光走査装置の調整方法。
【請求項６】
前記支持部は、前記光学部材の反り、歪みを防止する補強板を備え、前記支持部の支持条件が、この補強板の形状及び／または取り付け箇所であることを特徴とする請求項１〜請求項５のいずれか１項に記載の光走査装置の調整方法。
【発明の詳細な説明】
【技術分野】
【０００１】
本発明は、複写機やプリンタ、ファクシミリといった画像形成装置に搭載され、像担持体の表面を光ビーム（例えばレーザ光）で露光走査するための光走査装置の調整方法に関する。
【背景技術】
【０００２】
複写機やプリンタ等に用いられる光走査装置は、一般的に、感光体ドラムに代表される像担持体の表面、すなわち被走査面上を走査しながら露光し、感光体ドラム表面に所定の静電潜像を形成するものである。光走査装置において、光源から照射される、例えばレーザ光のような光ビームは、光偏向器の回転するポリゴンミラーによって主走査方向に偏向され、レンズやミラーなどといった光学部材によって被走査面に向けて出射される。
【０００３】
ここで、近年では、高速印刷が可能な画像形成装置が著しく普及している。そして、光走査装置もそれに対応した動作が必要となり、ポリゴンミラーを高速で回転させる必要がある。このため、光走査装置では、光偏向器の箇所を中心として、振動が発生し易くなる。また、高速印刷に起因して画像形成装置の他の箇所で発生する振動が、光走査装置に伝播する恐れもある。すなわち、画像形成装置に搭載された光走査装置は、複数の振動モードで振動する可能性が高い。
【０００４】
上記のように光走査装置において発生、伝播した振動は、レンズやミラーなどといった光学部材の箇所まで到達する可能性が高い。これにより、特にミラーが振動すると、ミラー自体の所定の位置や角度を保持できなくなり、光ビームの光軸がずれてしまう恐れがある。その結果、感光体ドラム表面に形成される静電潜像に悪影響を及ぼし、画像品質の低下を招くといった問題が発生する。
【０００５】
このような問題を解決すべく、複数の振動モードで発生し得る振動の低減、抑制を図った光走査装置の一例を、特許文献１に見ることができる。特許文献１に記載された走査光学装置（光走査装置）には、折り返しミラーに、ミラーの長手方向、すなわち主走査方向に沿って移動可能な錘が設けられている。
【特許文献１】特開平９−２６９４６０号公報（第３−４頁、図１）
【発明の開示】
【発明が解決しようとする課題】
【０００６】
特許文献１に記載された走査光学装置（光走査装置）は、折り返しミラーに、ミラーの長手方向、すなわち主走査方向に沿って移動可能な錘を設け、実際に光走査装置や画像形成装置を運転することにより折り返しミラーの箇所に伝播する振動を調べ、振動を低減、抑制できるように錘の位置を調整している。しかしながら、この光走査装置の調整方法では、実際に光走査装置や画像形成装置を運転する必要があるので、電力や用紙、トナーなどを消費することになり、ランニングコストが掛かることが懸念される。また、調整時間が長くなる可能性もある。そして、光走査装置の調整を実行するに際し、画像形成装置を設置するスペースを確保する必要がある。
【０００７】
本発明は上記の点に鑑みなされたものであり、画像形成装置自体を運転することなく短時間で調整を終えることができ、多様な振動周波数に対応して光学部材の振動を防止し、高品質の画像を得ることが可能な光走査装置の調整方法を提供することを目的とする。
【課題を解決するための手段】
【０００８】
上記の課題を解決するため、光ビームを照射する光源と、この光源からの光ビームを主走査方向に偏向する光偏向器と、この光偏向器からの光ビームを被走査面上に導く光学部材と、光ビームを被走査面上に照射するこれらの光学機器が内部に設けられたハウジングとを備えた光走査装置の調整方法において、前記光学部材を支持する支持部が、支持部材と、この支持部材に光学部材を押し当てて保持する弾性部材とを備えるとともに、前記ハウジングに配置した少なくとも１個の加振装置で発生させた振動を、光学部材の箇所に配置した振動測定装置で測定し、この振動条件に基づいて、光学部材に対する、前記支持部の支持条件を変更することとした。
【０００９】
また、上記構成の光走査装置の調整方法において、前記加振装置を、前記光偏向器の箇所に配置することとした。
【００１０】
また、上記構成の光走査装置の調整方法において、前記加振装置を、前記ハウジングに設けられた、ハウジング自体の取り付け部の箇所に配置することとした。
【００１１】
また、上記構成の光走査装置の調整方法において、前記支持部の支持条件が、前記光学部材を支持する位置であることとした。
【００１２】
また、上記構成の光走査装置の調整方法において、前記支持部の支持条件が、前記弾性部材の弾発力であることとした。
【００１３】
また、上記構成の光走査装置の調整方法において、前記支持部は、前記光学部材の反り、歪みを防止する補強板を備え、前記支持部の支持条件が、この補強板の形状及び／または取り付け箇所であることとした。
【発明の効果】
【００１４】
本発明の構成によれば、光ビームを照射する光源と、この光源からの光ビームを主走査方向に偏向する光偏向器と、この光偏向器からの光ビームを被走査面上に導く光学部材と、光ビームを被走査面上に照射するこれらの光学機器が内部に設けられたハウジングとを備えた光走査装置の調整方法において、前記光学部材を支持する支持部が、支持部材と、この支持部材に光学部材を押し当てて保持する弾性部材とを備えるとともに、前記ハウジングに配置した少なくとも１個の加振装置で発生させた振動を、光学部材の箇所に配置した振動測定装置で測定し、この振動条件に基づいて、光学部材に対する、前記支持部の支持条件を変更することとしたので、光走査装置を画像形成装置に搭載して運転することなく、光学部材に伝播する振動を発生させることができる。これにより、光学部材とその支持部とからなる振動系の固有振動数を認識できるのとともに、さらに多様な周波数で発生し、光学部材の箇所に伝播する振動にも対応して共振しないようにすることが可能である。したがって、画像形成装置自体を運転することなく短時間で調整を終えることができ、多様な振動周波数に対応して光学部材の振動を防止し、高品質の画像を得ることが可能な光走査装置の調整方法を提供することができる。
【００１５】
また、前記加振装置を、前記光偏向器の箇所に配置することとしたので、光学部材の箇所に伝播する振動の主たる発生原因である光偏向器に対応した振動を発生させることができる。これにより、光走査装置の運転時、光学部材の箇所において、回転するポリゴンミラーに起因して発生する振動に相当する振動を調べることが可能である。したがって、光偏向器の駆動が原因となる振動に対して、光学部材とその支持部とからなる振動系の固有振動数を変更でき、光学部材の振動を防止することが可能である。このようにして、高品質の画像を得ることが可能な光走査装置の調整方法を提供することができる。
【００１６】
また、前記加振装置を、前記ハウジングに設けられた、ハウジング自体の取り付け部の箇所に配置することとしたので、光走査装置を搭載した画像形成装置自体で発生し、光走査装置に伝播する振動を発生させることができる。これにより、画像形成装置の運転時、光学部材の箇所において、画像読み取り装置や画像形成部、給紙装置、定着装置などといった構成要素に起因して発生する振動に相当する振動を調べることが可能である。したがって、画像形成装置の各構成要素の駆動が原因となる振動に対して、光学部材とその支持部とからなる振動系の固有振動数を変更でき、光学部材の振動を防止することが可能である。このようにして、高品質の画像を得ることが可能な光走査装置の調整方法を提供することができる。
【００１７】
また、前記支持部の支持条件が、前記光学部材を支持する位置であることとしたので、光学部材の支持位置を変更するだけで容易に、光学部材と支持部とからなる振動系の固有振動数を変更したり、さらに多様な振動周波数に対応して共振しないようにしたりすることが可能である。したがって、光走査装置において、簡便な調整方法により、画像形成装置自体を運転することなく短時間で調整を終えることができ、多様な振動周波数に対応して光学部材の振動を防止し、高品質の画像を得ることができる。
【００１８】
また、前記支持部の支持条件が、前記弾性部材の弾発力であることとしたので、弾性部材の弾発力を変更するだけで容易に、光学部材と支持部とからなる振動系の固有振動数を変更したり、さらに多様な振動周波数に対応して共振しないようにしたりすることが可能である。したがって、光走査装置において、簡便な調整方法により、画像形成装置自体を運転することなく短時間で調整を終えることができ、多様な振動周波数に対応して光学部材の振動を防止し、高品質の画像を得ることができる。
【００１９】
また、前記支持部は、前記光学部材の反り、歪みを防止する補強板を備え、前記支持部の支持条件が、この補強板の形状及び／または取り付け箇所であることとしたので、光学部材の支持位置や弾性部材の弾発力を変更することなく、光学部材と支持部とからなる振動系の固有振動数を変更したり、さらに多様な振動周波数に対応して共振しないようにしたりすることが可能である。したがって、光走査装置において、より一層簡便な調整方法で、画像形成装置自体を運転することなく短時間で調整を終えることができ、多様な振動周波数に対応して光学部材の振動を防止し、高品質の画像を得ることができる。
【発明を実施するための最良の形態】
【００２０】
以下、本発明の実施形態を図１〜図１１に基づき説明する。
【００２１】
最初に、本発明の第１の実施形態に係る光走査装置の調整方法に関して、図１〜図３を用いて光走査装置の構造の概略を説明する。図１は光走査装置の上面図、図２は光走査装置の垂直断面正面図、図３は光走査装置の斜視図である。なお、図１及び図３では、光走査装置の上面に配置される蓋部材の描画を省略している。また、この光走査装置は、ブラック１色に対応した１個の感光体ドラムが備えられたモノクロ印刷用画像形成装置に搭載される光走査装置として設計されたものとする。
【００２２】
光走査装置１は、図１〜図３に示すように、ハウジング２の内側と周囲に、光源３、光偏向器１０、及び光学系２０を備えている。
【００２３】
ハウジング２は、上面が開放部として形成された箱形状をなしている。ハウジング２の、この上面の箇所には、蓋部材４（図２参照）が装着され、開放部を塞ぐようになっている。これらのハウジング２及び蓋部材４は、合成樹脂で構成されている。また、ハウジング２の外面には、図１及び図３に示すように、ハウジング２自体を画像形成装置（図示せず）に搭載するための取り付け部２ａが設けられている。取り付け部２ａは、ビスなどの締結部材に対応したブラケット形状をなし、ハウジング２外面に４箇所設けられている。
【００２４】
光源３は、図１及び図３に示すように、ハウジング２の側面の箇所に備えられている。光走査装置１は、ブラック１色に対応したものであるので、光源３も１個が設けられている。光源３は、可視領域の光ビーム、例えば６７０ｎｍ程度のレーザ光を照射する仕様のレーザダイオードで構成されている。
【００２５】
光偏向器１０は、ハウジング２の一方の端部側、すなわち図１及び図２において右方の端部側に備えられている。光偏向器１０は、ポリゴンミラー１１と、駆動部１２とで構成されている。駆動部１２は、垂直をなす軸線を中心として、図１において反時計方向に、正多角形の平面形状をなすポリゴンミラー１１を回転駆動するものである。その軸線中心に回転するポリゴンミラー１１の周囲には、光を反射する反射面が設けられている。
【００２６】
光源３から照射されたレーザ光ＬＢは、ポリゴンミラー１１周囲の反射面に入射する。ポリゴンミラー１１は、回転しながら、その反射面でレーザ光ＬＢを反射し、主走査方向（図１の上下方向）に偏向しつつ、ハウジング２内の他端に向けて導く。
【００２７】
光学系２０は、ハウジング２内の、光偏向器１０にて反射されたレーザ光ＬＢの進行先の領域に設けられている。光学系２０は、光学部材であるｆθレンズ２１及び反射ミラー２２を備えている。
【００２８】
ｆθレンズ２１は、光偏向器１０にて反射されたレーザ光ＬＢが進行する、そのすぐ先の箇所に配置されている。ｆθレンズ２１は、光偏向器１０側が主走査方向に真っ直ぐな平面状で延び、その反対側が主走査方向に円弧状に湾曲している。このｆθレンズ２１では、レーザ光ＬＢが主走査方向において等速度に偏向される。さらにｆθレンズ２１は、ポリゴンミラー１１へのレーザ光ＬＢの入射角や、ポリゴンミラー１１の面倒れなどといった走査上の悪影響を補正する。
【００２９】
反射ミラー２２は、ハウジング２の、光偏向器１０が配置された一方の端部側に対する他方の端部側、すなわち図１及び図２において左方の端部側に備えられている。反射ミラー２２は、主走査方向に真っ直ぐに延び、細長い形状をなしている。ｆθレンズ２１を通過したレーザ光ＬＢは、反射ミラー２２にて、下方に向かって反射される。反射ミラー２２にて反射されたレーザ光ＬＢは、ハウジング２の底部に設けられた開口部５（図２及び図３参照）を通って、被走査面である図示しない感光体ドラム表面に到達、結像される。
【００３０】
反射ミラー２２は、図１及び図３に示すように、主走査方向両端に設けられた支持部３０にて支持されている。支持部３０は、図２に示すように、支持部材３１、及び弾性部材である板ばね３２を備えている。
【００３１】
支持部材３１は、ハウジング２の内底面に設けられ、上方に向かって延びている。そして、支持部材３１は、下方から、反射ミラー２２の、レーザ光ＬＢが反射する反射面側を支持している。なお、支持部材３１は、その配置箇所を、反射ミラー２２が延びる方向、すなわち主走査方向に移動させることができ、反射ミラー２２の支持位置を変更することが可能である。
【００３２】
板ばね３２は、レーザ光ＬＢの入射方向に対して反射ミラー２２の下流側から、反射ミラー２２の上方にかけての箇所に配置されている。板ばね３２は、板金で構成され、レーザ光ＬＢの入射方向に対して反射ミラー２２の下流側の箇所で、締結部材３３により支持部材３１に取り付けられ、反射ミラー２２を下方に付勢し、支持部材３１に押し当ててそれを保持している。
【００３３】
なお、ｆθレンズ２１の支持部も反射ミラー２２の支持部３０と同様の構成であって、ｆθレンズ２１は支持部材及び板ばねを用いてハウジング２に支持されており、詳細な記述、説明は省略するものとする。
【００３４】
続いて、上記構成の光走査装置１の調整方法について、図４及び図５を用いて説明する。図４は図３と同様の光走査装置の斜視図にして、加振装置及び振動測定装置を配置したもの、図５は反射ミラーの支持部の箇所を示す部分拡大上面図である。
【００３５】
光走査装置１において発生、伝播した振動が、ｆθレンズ２１や反射ミラー２２といった光学部材の箇所まで到達すると、これらの部材が所定の位置や角度を保持できなくなり、レーザ光ＬＢの光軸がずれてしまう恐れがある。これに対して、光走査装置１では、図４に示すように、ハウジング２の光偏向器１０の箇所に加振装置４０を、光学部材のひとつである反射ミラー２２の箇所に振動測定装置４１を配置することで、予め振動を発生させ、測定する。
【００３６】
加振装置４０は、上述のように、ハウジング２の光偏向器１０の箇所に配置されている。この箇所において、加振装置４０は、光偏向器１０を様々な条件で駆動した場合に相当する振動を発生させる。なお、図４では、光偏向器１０のポリゴンミラー１１を取り外し、代わりに加振装置４０を配置している。また、加振装置４０は、複数箇所に配置しても構わない。
【００３７】
振動測定装置４１は、加速度センサーなどで構成され、上述のように、反射ミラー２２の箇所に配置されている。この箇所において、振動測定装置４１は、加振装置４０で発生させた振動を測定する。なお、ｆθレンズ２１の箇所における振動を測定したい場合には、振動測定装置４１をｆθレンズ２１の箇所に配置する。
【００３８】
そして、振動測定装置４１で得られた振動条件に基づいて、反射ミラー２２の箇所での振動ができるだけ小さくなるように、反射ミラー２２に対する支持部３０の支持条件を変更する。支持部３０の支持条件は、例えば反射ミラー２２を支持する位置であり、図５に示すように、支持部３０の位置を内側に移動している。
【００３９】
上記のように、光ビームを照射する光源３と、この光源３からの光ビームであるレーザ光ＬＢを主走査方向に偏向する光偏向器１０と、この光偏向器１０からのレーザ光ＬＢを被走査面上に導く光学部材であるｆθレンズ２１及び反射ミラー２２と、レーザ光ＬＢを被走査面上に照射するこれらの光学機器が内部に設けられたハウジング２とを備えた光走査装置１の調整方法において、光学部材である反射ミラー２２を支持する支持部３０が、支持部材３１と、この支持部材３１に反射ミラー２２を押し当てて保持する弾性部材である板ばね３２とを備えるとともに、ハウジング２に配置した１個の加振装置４０で発生させた振動を、反射ミラー２２の箇所に配置した振動測定装置４１で測定し、この振動条件に基づいて、反射ミラー２２に対する、支持部３０の支持条件を変更するので、光走査装置１を画像形成装置に搭載して運転することなく、反射ミラー２２に伝播する振動を発生させることができる。これにより、反射ミラー２２とその支持部３０とからなる振動系の固有振動数を認識できるのとともに、さらに多様な周波数で発生し、反射ミラー２２の箇所に伝播する振動にも対応して共振しないようにすることが可能である。したがって、画像形成装置自体を運転することなく短時間で調整を終えることができ、多様な振動周波数に対応して反射ミラー２２の振動を防止し、高品質の画像を得ることが可能な光走査装置１の調整方法を提供することができる。
【００４０】
また、加振装置４０を、光偏向器１０の箇所に配置したので、反射ミラー２２の箇所に伝播する振動の主たる発生原因である光偏向器１０に対応した振動を発生させることができる。これにより、光走査装置１の運転時、反射ミラー２２の箇所において、回転するポリゴンミラー１１に起因して発生する振動に相当する振動を調べることが可能である。したがって、光偏向器１０の駆動が原因となる振動に対して、反射ミラー２２とその支持部３０とからなる振動系の固有振動数を変更でき、反射ミラー２２の振動を防止することが可能である。このようにして、高品質の画像を得ることが可能な光走査装置１の調整方法を提供することができる。
【００４１】
そして、振動測定装置４１で測定した振動条件に基づいて変更する支持部３０の支持条件が、反射ミラー２２を支持する位置であるので、反射ミラー２２の支持位置を変更するだけで容易に、反射ミラー２２と支持部３０とからなる振動系の固有振動数を変更したり、さらに多様な振動周波数に対応して共振しないようにしたりすることが可能である。したがって、光走査装置１において、簡便な調整方法により、画像形成装置自体を運転することなく短時間で調整を終えることができ、多様な振動周波数に対応して反射ミラー２２の振動を防止し、高品質の画像を得ることができる。
【００４２】
次に、本発明の第２の実施形態に係る光走査装置の調整方法に関して、その詳細を、図６及び図７を用いて説明する。図６は光走査装置の斜視図にして、加振装置及び振動測定装置を配置したもの、図７は光走査装置の反射ミラー支持部周辺の部分拡大斜視図にして、板ばねの変更を示すものである。なお、この実施形態の基本的な構成は、図１〜図５を用いて説明した前記第１の実施形態と同じであるので、第１の実施形態と共通する構成要素には前と同じ符号を付し、説明は省略するものとする。
【００４３】
第２の実施形態に係る光走査装置１の調整方法では、図６に示すように、ハウジング２の取り付け部２ａの箇所に加振装置４０を、光学部材のひとつである反射ミラー２２の箇所に振動測定装置４１を配置することで、予め振動を発生させ、測定する。
【００４４】
加振装置４０は、上述のように、ハウジング２外面に設けられた、ハウジング２自体の取り付け部２ａの箇所に配置されている。この箇所において、加振装置４０は、光走査装置１を搭載した画像形成装置（図示せず）を様々な条件で駆動した場合に相当する振動を発生させる。なお、図６では、４箇所ある取り付け部２ａのうち、光偏向器１０側の１箇所に加振装置４０を配置しているが、他の３箇所のいずれかに加振装置４０を配置しても構わないし、それらの複数箇所に加振装置４０を配置しても構わない。
【００４５】
振動測定装置４１は、加速度センサーなどで構成され、上述のように、反射ミラー２２の箇所に配置されている。この箇所において、振動測定装置４１は、加振装置４０で発生させた振動を測定する。なお、ｆθレンズ２１の箇所における振動を測定したい場合には、振動測定装置４１をｆθレンズ２１の箇所に配置する。
【００４６】
そして、振動測定装置４１で得られた振動条件に基づいて、反射ミラー２２の箇所での振動ができるだけ小さくなるように、反射ミラー２２に対する支持部３０の支持条件を変更する。支持部３０の支持条件は、例えば弾性部材である板ばね３２の弾発力であり、ばね定数が大きくなるよう、図７に示すように、板ばね３２を材料、形状がほぼ同じで、厚さが厚い板ばね３４に交換している。
【００４７】
上記のように、光走査装置１の調整方法において、加振装置４０を、ハウジング２に設けられた、ハウジング２自体の取り付け部２ａの箇所に配置したので、光走査装置１を搭載した画像形成装置自体で発生し、光走査装置１に伝播する振動を発生させることができる。これにより、画像形成装置の運転時、光学部材である反射ミラー２２の箇所において、画像読み取り装置や画像形成部、給紙装置、定着装置などといった構成要素に起因して発生する振動に相当する振動を調べることが可能である。したがって、画像形成装置の各構成要素の駆動が原因となる振動に対して、反射ミラー２２とその支持部３０とからなる振動系の固有振動数を変更でき、反射ミラー２２の振動を防止することが可能である。このようにして、高品質の画像を得ることが可能な光走査装置１の調整方法を提供することができる。
【００４８】
そして、振動測定装置４１で測定した振動条件に基づいて変更する支持部３０の支持条件が、弾性部材である板ばね３２の弾発力であるので、板ばね３２の弾発力を変更するだけで容易に、反射ミラー２２と支持部３０とからなる振動系の固有振動数を変更したり、さらに多様な振動周波数に対応して共振しないようにしたりすることが可能である。したがって、光走査装置１において、簡便な調整方法により、画像形成装置自体を運転することなく短時間で調整を終えることができ、多様な振動周波数に対応して反射ミラー２２の振動を防止し、高品質の画像を得ることができる。
【００４９】
次に、本発明の第３の実施形態に係る光走査装置の調整方法に関して、その詳細を、図８〜図１１を用いて説明する。図８は光走査装置の上面図、図９は光走査装置の反射ミラー周辺を示す垂直断面部分拡大正面図、図１０は図９と同様の反射ミラー周辺を示す垂直断面部分拡大正面図にして、補強板の形状を変更したもの、図１１は図９と同様の反射ミラー周辺を示す垂直断面部分拡大正面図にして、補強板の取り付け箇所を変更したものである。なお、この実施形態の基本的な構成は、図１〜図５を用いて説明した前記第１の実施形態と同じであるので、第１の実施形態と共通する構成要素には前と同じ符号を付し、説明は省略するものとする。
【００５０】
第３の実施形態に係る光走査装置１の調整方法に関して、光走査装置１は、図８及び図９に示すように、反射ミラー２２の支持部３０が、反射ミラー２２の補強板３５を備えている。補強板３５は、反射ミラー２２の反射面に対する反対側の面に装着され、反射ミラー２２の主走査方向に沿って延び、主走査方向から見た断面形状がＬ字形をなしている。この補強板３５は、反射ミラー２２の反り、歪みを防止している。
【００５１】
そして、光走査装置１の調整方法では、加振装置４０（図４または図６参照）で振動を発生させ、振動測定装置４１（図４または図６参照）で得られた振動条件に基づいて、反射ミラー２２の箇所での振動ができるだけ小さくなるように、反射ミラー２２に対する支持部３０の支持条件を変更する。
【００５２】
支持部３０の支持条件は、例えば反射ミラー２２の補強板３５の形状であり、図１０に示すように、主走査方向から見た断面形状がコ字形の補強板３６に交換している。
【００５３】
また、支持部３０の別の支持条件としては、例えば補強板３５の取り付け箇所であり、図１１に示すように、補強板３５の位置を、図９に示す箇所より下側に移動している。
【００５４】
上記のように、光走査装置１の調整方法において、光走査装置１の支持部３０は、反射ミラー２２の反り、歪みを防止する補強板３５を備え、振動測定装置４１で測定した振動条件に基づいて変更する支持部３０の支持条件が、補強板３５の形状及び／または取り付け箇所であるので、反射ミラー２２の支持位置や板ばね３２の弾発力を変更することなく、反射ミラー２２と支持部３０とからなる振動系の固有振動数を変更したり、さらに多様な振動周波数に対応して共振しないようにしたりすることが可能である。したがって、光走査装置１において、より一層簡便な調整方法で、画像形成装置自体を運転することなく短時間で調整を終えることができ、多様な振動周波数に対応して反射ミラー２２の振動を防止し、高品質の画像を得ることができる。
【００５５】
以上、本発明の実施形態につき説明したが、本発明の範囲はこれに限定されるものではなく、発明の主旨を逸脱しない範囲で種々の変更を加えて実施することができる。
【００５６】
例えば、光走査装置１は、上記実施形態ではブラックトナーのみを使用したモノクロ印刷用の画像形成装置に搭載される光走査装置であるが、このような機種に限定されるわけではなく、中間転写ベルトを備え、複数色を重ね合わせて画像形成すること可能なタンデム方式、或いはロータリーラック方式のカラー印刷用画像形成装置に搭載される光走査装置であっても構わない。
【００５７】
また、第１の実施形態では加振装置４０を光偏向器１０の箇所に配置し、変更する支持部３０の支持条件が反射ミラー２２を支持する位置であり、第２の実施形態では加振装置４０をハウジング２の取り付け部２ａの箇所に配置し、変更する支持部３０の支持条件が板ばね３２の弾発力であることとしたが、加振装置４０の配置箇所と変更する支持部３０の支持条件との組み合わせはこれらに限定されるわけではなく、互いに入れ替えても構わない。
【００５８】
また、振動測定装置４１で測定した振動条件に基づいて変更する支持部３０の支持条件に関して、第１の実施形態では支持部３０の位置を内側に移動し、第２の実施形態では板ばね３２を厚さが厚い板ばね３４に交換しているが、変更条件はこれらに限定されるわけではなく、支持部３０の位置を外側に移動したり、或いは支持部３０をｆθレンズ２１に対して近づけたり、遠ざけたり、板ばね３２を薄いものに交換したり、板ばね３２の形状や材料を変更したりしても構わない。
【産業上の利用可能性】
【００５９】
本発明は、光走査装置全般において利用可能である。
【図面の簡単な説明】
【００６０】
【図１】本発明の第１の実施形態に係る光走査装置の上面図である。
【図２】図１に示す光走査装置の垂直断面正面図である。
【図３】図１に示す光走査装置の斜視図である。
【図４】図３と同様の光走査装置の斜視図にして、加振装置及び振動測定装置を配置したものである。
【図５】図１の反射ミラー支持部の箇所を示す部分拡大上面図である。
【図６】本発明の第２の実施形態に係る光走査装置の斜視図にして、加振装置及び振動測定装置を配置したものである。
【図７】図６に示す光走査装置の反射ミラー支持部周辺の部分拡大斜視図にして、板ばねの変更を示すものである。
【図８】本発明の第３の実施形態に係る光走査装置の上面図である。
【図９】図８の光走査装置の反射ミラー周辺を示す垂直断面部分拡大正面図である。
【図１０】図９と同様の反射ミラー周辺を示す垂直断面部分拡大正面図にして、補強板の形状を変更したものである。
【図１１】図９と同様の反射ミラー周辺を示す垂直断面部分拡大正面図にして、補強板の取り付け箇所を変更したものである。
【符号の説明】
【００６１】
１  光走査装置
２  ハウジング
２ａ  取り付け部
３  光源
１０  光偏向器
１１  ポリゴンミラー
２０  光学系
２１  ｆθレンズ（光学部材）
２２  反射ミラー（光学部材）
３０  支持部
３１  支持部材
３２、３４  板ばね（弾性部材）
３５、３６  補強板
４０  加振装置
４１  振動測定装置
【図１】
2009134123.tif 000003
【図２】
2009134123.tif 000004
【図３】
2009134123.tif 000005
【図４】
2009134123.tif 000006
【図５】
2009134123.tif 000007
【図６】
2009134123.tif 000008
【図７】
2009134123.tif 000009
【図８】
2009134123.tif 000010
【図９】
2009134123.tif 000011
【図１０】
2009134123.tif 000012
【図１１】
2009134123.tif 000013